【事件の表示】
　特願２０１０−５０２０７３「産業用プロセス制御システム用フランジレス差圧トランスミッター」拒絶査定不服審判事件〔平成２０年１０月１６日国際公開、ＷＯ２００８／１２３９０６、平成２２年　７月１５日国内公表、特表２０１０−５２３９７２〕について、次のとおり審決する。
【結　論】
　本件審判の請求は、成り立たない。
【理　由】
第１　手続の経緯
　本願は、平成２０年２月１５日を出願日（パリ条約による優先権主張　２００７年４月４日（優先日）　米国）とする国際特許出願であって、平成２７年４月１７日付けで拒絶査定がなされ、これに対し、同年８月２７日に拒絶査定不服審判が請求されると同時に手続補正がされたものである。
　その後、当審より平成２８年８月３０日付けで拒絶理由（以下、「当審拒絶理由」という。）を通知したところ、平成２９年３月６日付けで意見書の提出があった。
　
第２　当審拒絶理由
　当審拒絶理由は、以下のとおりである。
　
「この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　記
　
１　特開平５−７９８７１号公報（以下、「引用例１」という。）
２　特開２００５−２５７５５１号公報（以下、「引用例２」という。）
３　特開平５−１３３４９６号公報（以下、「引用例３」という。）
４　実願平３−７３２７７号（実開平５−１７２９７号）のＣＤ−ＲＯＭ
　（以下、「引用例４」という。）
５　特開２００４−２８８１３号公報（以下、「引用例５」という。）
　
・請求項１〜５、７〜１３ 
・引用例１〜４ 
［説明１］ 
（１）引用例１（段落【０００１】、【００２７】、【００３５】〜【００３８】、【図４】、【図５】等参照）には、オリフィスなどの差圧発生器５６０とともに被測定流体が流れる管路５５０の一部に設置されフランジ部１０８で気密に取り付けられ、差圧発生器５６０の上流側と下流側に設けたシールダイアフラム１０３ａ・１０３ｂと、圧力伝達媒体のシリコンオイル１０７と、シリコンチップ上に差圧センサ，静圧センサ及び温度センサが構成されている複合センサ１６とが設けられた受圧部１０００、及び複合センサからの圧力、差圧及び温度の電気信号を増幅しディジタル量に変換した後、マイクロプロセッサにより予めプログラムされた補正、演算を行ない出力ケーブル１２５から流量、静圧及び温度の計測値を上位の制御装置に伝送する信号処理部１０６を備えた流体量計測装置（多機能流体計測伝送装置）の発明が記載されている。
（２）引用例２（段落【００１８】、【図１】等参照）には、オリフィスを有する流路に管路をねじ部を用いて取り付けることが記載されている。そして、引用例１に記載された発明にこれを適用し、オリフィスなどの差圧発生器を有する流路に管路を（フランジ部に代えて）ねじ部を用いて取り付けるようにすることは、当業者であれば容易になし得ることである。
（３）オリフィス（主エレメント）を流路と一体に形成することは、引用例３（段落【０００３】、【図５】参照）又は引用例４（段落【０００２】、【図３】参照）に記載されるように周知技術であり、当業者であれば適宜採用し得るものであるし、一般に、複数の部材を一体に形成することは周知技術であることを考慮すれば、引用例１に記載された発明において受圧部１０００に結合されるそのほかの部材を一体とするか否かということも、製造の容易性などを考慮して当業者が適宜採用すべきものである。
（４）差圧を測定する装置において、インパルス配管ラインや遮断ダイヤフラム等を設けることは周知であるし、位置決めなどのために遮断ダイヤフラム凹所を設けることは、当業者が適宜なし得ることである。
（５）請求項４、５、７〜１３に記載された事項は、当業者が適宜採用すべき周知技術もしくは設計的事項であり、格別のことではない。
　
・請求項１４〜１６
・引用例１〜４
［説明２］
　上記［説明１］（１）〜（４）を参照されたい。
　
・請求項６、１７〜２０
・引用例１〜５
［説明３］
（１）上記［説明１］（１）〜（３）を参照されたい。
（２）引用例５（段落【０００２】〜【０００６】、【図９】参照）に記載されるように、測定装置が設けられた管にバイパス管及び弁を設けることは周知技術であり、引用例１に記載された発明において当該技術を採用することは、当業者であれば適宜なし得ることである。」
　
第３　本願発明
　本願の請求項１ないし２０に係る発明は、平成２７年８月２７日付けの手続補正で補正された特許請求の範囲の請求項１ないし２０に記載された事項により特定されるとおりのものと認められるところ、その請求項１４に係る発明は、次のとおりである。
　
「産業用制御システムで使用するための産業用圧力トランスミッターにおいて、
　差圧センサと、
　前記差圧センサに内部液圧システムを通して連結されたフランジレスプロセスコネクタと、
　前記フランジレスプロセスコネクタを通って延びる、産業用プロセス流体を受け入れるためのプロセス流体流ダクトと、
　前記プロセス流体流ダクトに位置決めされた主エレメントであって、前記主エレメントの前後で前記プロセス流体中に圧力差を発生するための主エレメントとを含み、
　前記差圧センサは、前記主エレメントの前後の圧力差を検出するため、前記プロセス流体流ダクトに連結されており、
　前記主エレメントは、前記プロセス流体流ダクトから形成され、前記内部液圧システムは、前記主エレメント及び前記内部液圧システムが前記フランジレスプロセスコネクタと一体であるように、前記フランジレスプロセスコネクタから形成されている、産業用圧力トランスミッター。」（以下、「本願発明」という。）
　
第４　引用例
１　引用例１
（１）記載事項
　当審拒絶理由で引用された引用例１（特開平５−７９８７１号公報）には、次の事項（ａ）ないし（ｄ）が記載されている（なお、下線は当審が付した。以下、同じ。）。
　
（ａ）
「【０００１】
【産業上の利用分野】
本発明は
プラント流体計測制御伝送システムに関する
　
（ｂ）
「【００２７】以下、流量を計測制御する場合を例として説明する。図１においてパイプライン５５０の途中に設けた
オリフイスなどの差圧発生器５６０
（１）統括制御装置５００または可搬通信器４００からの割込み指令に対し、
（２）流体計測伝送装置３００は自己診断を行い異常の有無の報告と
（３）計測演算した流量，静圧Ｐｓ，温度Ｔ等の流体量を統括制御装置や可搬通信器に伝送する。」
　
（ｃ）
「【００３５】本発明の流体量計測装置３００の構造の例を図４から図９に示す。
【００３６】同図４において、
１０００は受圧部で、差圧発生器５６０とともに被測定流体が流れる管路５５０の一部に設置されフランジ部１０８で気密に取り付けられている
差圧発生器５６０の上流側と下流側に設けたシールダイアフラム１０３ａ，１０３ｂ
圧力伝達媒体のシリコンオイル１０７
複合センサ１６はシリコンチップ上に差圧センサ，静圧センサ及び温度センサが構成されている
各センサは圧力，差圧及び温度を電気信号に変換し
信号処理部１０６ではこれを増幅しディジタル量に変換した後、マイクロプロセッサにより予めプログラムされた補正，演算を行ない出力ケーブル１２５から流量，静圧及び温度の計測値を上位の制御装置に伝送する
　
（ｄ）
　
　図４より、受圧部１０００に、差圧発生器５６０を備える流路が設けられていることが見て取れる。
　
（２）引用発明
　上記記載より、引用例１には次の発明が記載されているものと認められる。
　
「オリフィスなどの差圧発生器５６０とともに被測定流体が流れる管路５５０の一部に設置されフランジ部１０８で気密に取り付けられ、差圧発生器５６０を備える流路と、差圧発生器５６０の上流側と下流側に設けたシールダイアフラム１０３ａ，１０３ｂと、圧力伝達媒体のシリコンオイル１０７と、シリコンチップ上に差圧センサ、静圧センサ及び温度センサが構成されている複合センサ１６とが設けられた受圧部１０００、及び複合センサからの圧力、差圧及び温度の電気信号を増幅しディジタル量に変換した後、マイクロプロセッサにより予めプログラムされた補正、演算を行ない出力ケーブル１２５から流量、静圧及び温度の計測値を上位の制御装置に伝送する信号処理部１０６を備えたプラント流体計測制御伝送システム。」（以下、「引用発明」という。）
　
２　引用例２
（１）記載事項
　当審拒絶理由で引用された引用例２（特開２００５−２５７５５１号公報）には、次の事項（ａ）、（ｂ）が記載されている。
　
（ａ）
「【００１８】
 
 図１は流量センサーの断面図を示し
主配管１は、両端部にそれぞれ接続部として内面にめねじ部２が形成されている
めねじ部２を用いて
主配管１が、流体システムのうち流量測定を行う配管経路Ｘ上に取付けられる
主配管１内に形成されている流路１ａの途中、例えば中央部には、オリフィス３が取付けられている
　
（ｂ）
　
（２）上記記載により、引用例２には、流量センサーにおいて、オリフィスを有する流路をなす主配管の両端部内面に配管をフランジレスなねじ部を用いて取り付ける技術が記載されていると認められる。
　
３　引用例３、引用例４
（１）引用例３の記載事項
　当審拒絶理由で引用された引用例３（特開平５−１３３４９６号公報）には、次の事項が記載されている。
「【０００２】
【従来の技術】一般に
オリフィスは流量測定や流量を絞る等の目的のために多く使用されている
【０００３】次に、従来のパイプ付きオリフィスを図５を参照して説明する。パイプ付きオリフィス３０はその中央部にオリフィス孔３１を形成したオリフィス部３２がありこのオリフィス部３２の両側部には開口３３が形成されている。このような
パイプ付きオリフィスを製作するためには、一体の素材から先ず、両側部に開口３３を旋盤等により形成し、その後ドリル等によりオリフィス孔３１を形成する。
　
（２）引用例４の記載事項
　当審拒絶理由で引用された引用例４（実願平３−７３２７７号（実開平５−１７２９７号）のＣＤ−ＲＯＭ）には、次の事項が記載されている。
「【０００２】
　【従来の技術】
　従来から既に提案されている管内オリフィスの取付け構造の４つの例を図３〜図６に示す。図３は、
管１にオリフィス２を一体に設けた構造例
　
（３）上記（１）、（２）の記載により、引用例３及び引用例４には、オリフィスを管と一体に形成するという周知技術が記載されていると認められる。
　
第５　対比・判断
１　対比
　本願発明と引用発明とを対比する。
（１）引用発明における「複合センサ」は、差圧センサを含んで構成されているものであるから、本願発明における「差圧センサ」に相当する。
　
（２）引用発明において、「受圧部１０００」は、「流体」「圧力」を「伝達」する「シリコンオイル１０７」を介して「複合センサ」に連結されているといえる。また、「受圧部１０００」は、「被測定流体が流れる管路５５０の一部に設置され」、「気密に取り付けられ」るから、「複合センサ」を「プラント」のプロセスの「管路５５０」に接続する部材であるといえる。そうすると、引用発明における「受圧部１０００」は、本願発明における「前記差圧センサに内部液圧システムを通して連結されたフランジレスプロセスコネクタ」と、「前記差圧センサに内部液圧システムを通して連結されたプロセスコネクタ」の点で共通する。
　
（３）引用発明における「受圧部１０００」の「差圧発生器５６０を備える流路」を流れる流体は、産業用である「プラント」のプロセスの「管路５５０」を流れる「被測定流体」であるから、引用発明における「差圧発生器５６０を備える流路」は、本願発明における「前記フランジレスプロセスコネクタを通って延びる、産業用プロセス流体を受け入れるためのプロセス流体流ダクト」と、「前記プロセスコネクタを通って延びる、産業用プロセス流体を受け入れるためのプロセス流体流ダクト」の点で共通する。
　
（４）オリフィスはその上流側と下流側で流体中に圧力差を発生させるためのものであるから、引用発明における「オリフィスなどの差圧発生器５６０」は、本願発明における「前記プロセス流体流ダクトに位置決めされた主エレメントであって、前記主エレメントの前後で前記プロセス流体中に圧力差を発生するための主エレメント」に相当する。
　
（５）引用発明における「複合センサ」は、「差圧発生器５６０の上流側と下流側」の圧力差を検出するものであり、「圧力伝達媒体のシリコンオイル１０７」を介して「差圧発生器５６０を備える流路」に連結されているから、引用発明において、「複合センサ」が、「差圧発生器５６０の上流側と下流側」の圧力差を検出するため、「差圧発生器５６０を備える流路」に連結されていることは、本願発明における「前記差圧センサは、前記主エレメントの前後の圧力差を検出するため、前記プロセス流体流ダクトに連結されて」いることに相当する。
　
（６）引用発明における「流体」「圧力」を「伝達」する「シリコンオイル１０７」（が充填された管）は、「受圧部１０００」と一体であり、引用発明において、「流体」「圧力」を「伝達」する「シリコンオイル１０７」（が充填された管）が「受圧部１０００」と一体であることは、本願発明における「前記主エレメントは、前記プロセス流体流ダクトから形成され、前記内部液圧システムは、前記主エレメント及び前記内部液圧システムが前記フランジレスプロセスコネクタと一体であるように、前記フランジレスプロセスコネクタから形成されている」ことと、「前記内部液圧システムは、前記内部液圧システムが前記プロセスコネクタと一体であるように、前記プロセスコネクタから形成されている」点で共通する。
　
（７）引用発明における「プラント流体計測制御伝送システム」は、産業用である「プラント」の「流体」に関する差圧等の計測値を制御装置に伝送するものであるから、以下の相違点１及び２を除いて、本願発明における「産業用制御システムで使用するための産業用圧力トランスミッター」に相当する。
　
（８）以上の関係を整理すると、両者の一致点及び相違点は、以下の通りである。
　
（一致点）
「産業用制御システムで使用するための産業用圧力トランスミッターにおいて、
　差圧センサと、
　前記差圧センサに内部液圧システムを通して連結されたプロセスコネクタと、
　前記プロセスコネクタを通って延びる、産業用プロセス流体を受け入れるためのプロセス流体流ダクトと、
　前記プロセス流体流ダクトに位置決めされた主エレメントであって、前記主エレメントの前後で前記プロセス流体中に圧力差を発生するための主エレメントとを含み、
　前記差圧センサは、前記主エレメントの前後の圧力差を検出するため、前記プロセス流体流ダクトに連結されており、
　前記内部液圧システムは、前記内部液圧システムが前記プロセスコネクタと一体であるように、前記プロセスコネクタから形成されている、産業用圧力トランスミッター。」
　
（相違点１）
　本願発明における「プロセスコネクタ」は「フランジレス」であるのに対し、引用発明における「受圧部１０００」は「フランジ部１０８」を有する点。
　
（相違点２）
　本願発明においては、「主エレメントは、前記プロセス流体流ダクトから形成され」、「主エレメント」が「フランジレスプロセスコネクタと一体であるように、前記フランジレスプロセスコネクタから形成されている」のに対し、引用発明においては、「差圧発生器５６０」が「受圧部１０００」と一体であるように「受圧部１０００」から形成されていない点。
　
２　判断
　上記相違点について検討する
（１）相違点１について
　引用例２には、流量センサーにおいて、オリフィスを有する流路をなす主配管の両端部内面に配管をフランジレスなねじ部を用いて取り付ける技術が記載されている（上記第４の２（２）を参照のこと。）から、引用発明に上記技術を適用し、受圧部の差圧発生器５６０を備える流路に管路をフランジレスなねじ部を用いて取付け、上記相違点１に係る本願発明の構成とすることは、当業者が容易になし得たことである。
　
（２）相違点２について
　オリフィスを管と一体に形成することは、優先日前に周知の技術であると認められる（上記第４の３（３）を参照のこと。）から、引用発明に上記周知技術を適用して、差圧発生器を受圧部の流路と一体であるように形成し、上記相違点２に係る本願発明の構成とすることは、当業者が容易になし得たことである。
　
（３）なお、仮に、引用発明における「圧力伝達媒体のシリコンオイル１０７」（が充填された管）が、本願発明における「内部液圧システム」に相当しないとしても、圧力伝達機構としての「内部液圧システム」は一般的なものであり、これを採用することは当業者であれば適宜なし得ることである。
　
（４）そして、本願発明の作用効果も、引用発明、引用例２記載の上記技術及び上記周知技術から当業者が予測可能なものであって、格別のものではない。
　
第６　むすび
　以上のとおり、本願発明は、引用発明、引用例２記載の上記技術及び上記周知技術に基づいて当業者が容易に発明をすることができたものであるから、特許法第２９条第２項の規定により特許を受けることができない。
　したがって、本願の他の請求項に係る発明について審理するまでもなく、本願は拒絶すべきものである。
　よって、結論のとおり審決する。